(57)【特許請求の範囲】
【請求項１】
ケーブルの対応関係を確認するために、対象となるケーブルに取り付けられるケーブル識別具であって、
前記ケーブルの２つの導線に別々に接続するための第１コンタクトと第２コンタクトと、
第１コンタクトと電気的に接続された第１導体と、第２コンタクトと電気的に接続された第２導体と、前記第１導体と前記第２導体との間に所定の電力が供給された場合に発光する発光素子とを有する発光部と、
可視光を通す材質で形成され、前記発光素子を覆うカバーと
を有する本体と、
このケーブル識別具を前記ケーブルに固定するための取り付け手段と、
前記第１導体と前記第２導体との間に外部から電力を供給するために形成された開口手段と、
を備え、
前記開口手段は、前記ケーブルの長手方向と平行な方向の開口を有している
ことを特徴とするケーブル識別具。
【請求項２】
請求項１記載のケーブル識別具であって、
前記開口手段は、
前記ケーブルの長手方向と平行な方向に開口している第１開口部と、
前記第１開口部と同じ方向に開口している第２開口部と、
前記発光素子の発光量が多い方向と同じ方向に開口している第３開口部と、
前記第３開口部と同じ方向に開口している第４開口部
で構成され、
前記第１コンタクトは、導線を把持する第１スリット部と、前記第１開口部に対応する位置に配置される第１コンタクトボディと、前記第１導体と接触する第１接触部とを有し、
前記第２コンタクトは、導線を把持する第２スリット部と、前記第２開口部に対応する位置に配置される第２コンタクトボディと、前記第２導体と接触する第２接触部とを有し、
前記第１導体は、前記第３開口部に対応する位置に配置され、
前記第２導体は、前記第４開口部に対応する位置に配置される
ことを特徴とするケーブル識別具。
【請求項３】
請求項１記載のケーブル識別具であって、
前記開口手段は、
前記ケーブルの長手方向と平行な方向に開口している第１開口部と、
前記第１開口部と同じ方向に開口している第２開口部と、
前記ケーブルの長手方向と垂直な方向に開口している第３開口部と、
前記第３開口部と同じ方向に開口している第４開口部
で構成され、
前記第１コンタクトは、導線を把持する第１スリット部と、前記第１開口部に対応する位置に配置される第１コンタクトボディと、前記第１導体と接触する第１接触部とを有し、
前記第２コンタクトは、導線を把持する第２スリット部と、前記第２開口部に対応する位置に配置される第２コンタクトボディと、前記第２導体と接触する第２接触部とを有し、
前記第１導体は、前記第３開口部に対応する位置に配置され、
前記第２導体は、前記第４開口部に対応する位置に配置される
ことを特徴とするケーブル識別具。
【請求項４】
請求項２または３記載のケーブル識別具であって、
前記本体は、前記カバーが配置された面の反対側の面に前記ケーブルと接触するケーブル接触面を有し、
前記取り付け手段は、前記ケーブルと接触するケーブル固定面を有するベースであって、前記ケーブル固定面と前記ケーブル接触面との間にケーブルを挟むことで、このケーブル識別具を前記ケーブルに固定する手段であり、
前記第１コンタクトは、前記ベースの方向に、前記第１接触部、前記第１コンタクトボディ、前記第１スリット部の順番となるように配置され、
前記第２コンタクトは、前記ベースの方向に、前記第２接触部、前記第２コンタクトボディ、前記第２スリット部の順番となるように配置され、
前記ケーブルの２つの導線は、前記ベースと前記本体とで前記ケーブルを挟むときに前記第１スリットと前記第２スリットに別々に把持される
ことを特徴とするケーブル識別具。
【請求項５】
請求項２〜４のいずれかに記載のケーブル識別具であって、
前記ケーブルの長手方向と平行な方向に形成された溝であって、当該溝の最も深い部分が前記第１開口部と対向する第１ガイドと、
前記ケーブルの長手方向と平行な方向に形成された溝であって、当該溝の最も深い部分が前記第２開口部と対向する第２ガイドと、
を有し、前記本体の前記第１開口部と前記第２開口部が形成された面に隣接して前記ケーブルに固定されるブーツも備える
ことを特徴とするケーブル識別具。
【請求項６】
請求項１〜５のいずれかに記載のケーブル識別具であって、
前記発光部は、前記第１導体と前記第２導体に供給される電力の極性に関わりなく、前記発光素子の極性に対応した電力を前記発光素子に供給するブリッジ回路も備える
ことを特徴とするケーブル識別具。
【請求項７】
請求項１〜５のいずれかに記載されたケーブル識別具を複数個取り付けたケーブルの対応関係を確認するケーブル識別方法であって、
複数の前記ケーブル識別具は、前記ケーブルの１つの導線にすべての前記ケーブル識別具の第１コンタクトが接続され、前記ケーブルの他の１つの導線にすべての前記ケーブル識別具の第２コンタクトが接続された状態で、前記ケーブルに取り付けられており、
いずれか１つの前記ケーブル識別具の前記第１導体と前記第２導体との間に前記開口手段を用いて電力を供給することで、その他のすべての前記ケーブル識別具の前記第１導体と前記第２導体との間に前記１つの導線と前記他の１つの導線を用いて前記所定の電力を供給する電力供給ステップと、
前記電力供給ステップによって発光している前記ケーブル識別具を探すことでケーブルの対応関係を確認する確認ステップと
を有するケーブル識別方法。
【請求項８】
請求項６記載されたケーブル識別具を複数個取り付けたケーブルの対応関係を確認するケーブル識別方法であって、
複数の前記ケーブル識別具は、前記ケーブルの２つの導線に第１コンタクトと第２コンタクトが別々に接続された状態で、前記ケーブルに取り付けられており、
いずれか１つの前記ケーブル識別具の前記第１導体と前記第２導体との間に前記開口手段を用いて電力を供給することで、その他のすべての前記ケーブル識別具の前記第１導体と前記第２導体との間に前記１つの導線と前記他の１つの導線を用いて前記所定の電力を供給する電力供給ステップと、
前記電力供給ステップによって発光している前記ケーブル識別具を探すことでケーブルの対応関係を確認する確認ステップと
を有するケーブル識別方法。
【発明の詳細な説明】
【技術分野】
【０００１】
本発明は、ケーブルを識別するためにケーブルに取り付けられるケーブル識別具と、そのケーブル識別具を用いたケーブル識別方法に関する。
【背景技術】
【０００２】
配線された多数のケーブルの中からケーブルを特定する技術として、特許文献１が知られている。この技術では、ケーブルの一端側で接地線と絶縁線を短絡し、他端で接地線と絶縁線の導通をテスタなどで確認することでケーブルの両端の対応関係を確認する。
【先行技術文献】
【特許文献】
【０００３】
【特許文献１】特開２００２−１７０１６号公報
【発明の概要】
【発明が解決しようとする課題】
【０００４】
ケーブルの対応関係を確認したいという要求は、多数のケーブルが配線された状況で生じる。例えば、オフィスでパソコンを撤去するときに、そのパソコンに接続されていたＬＡＮケーブルを撤去することを考える。ＬＡＮケーブルの一端側はパソコンなどに接続されているので、撤去するＬＡＮケーブルの一端を識別することは容易である。しかし、二重床などを通ったうえでハブに接続されている他端側では、どのＬＡＮケーブルを抜けばよいのかが分からないことが多い。特許文献１の技術はこのような状況でハブから抜いてよいＬＡＮケーブルを特定するために有効である。
【０００５】
しかしながら、従来技術は、作業者が撤去の対象だろうと予測したケーブルを選択し、テスタの接触針を接地線と絶縁線に接触させなければ対応関係が確認できない。したがって、予測したケーブルが撤去の対象でなかった場合にはケーブルの選択と接触針の接触を繰返し行わなければならない。したがって、大量のケーブルが集中している場所では、ケーブルの選択と接触針の接触の繰返しが増えることが多い。また、ハブが机や床の下などにあり、テスタの接触針を接触させにくい作業環境では、繰返し作業は行いにくい。
【０００６】
本発明は、ケーブルを選択するときに作業者に選択すべきケーブルを示すことのできるケーブル識別具とそのケーブル識別具を用いたケーブル識別方法を提供することである。
【課題を解決するための手段】
【０００７】
本発明のケーブル識別具は、ケーブルの対応関係を確認するために、対象となるケーブルに取り付けられる。本発明のケーブル識別具は、本体と取り付け手段と開口手段を備える。本体は、第１コンタクト、第２コンタクト、発光部、カバーを有する。第１コンタクトと第２コンタクトは、対象となるケーブルの２つの導線に別々に接続される。発光部は、第１導体、第２導体、発光素子を有する。第１導体は、第１コンタクトと電気的に接続される。第２導体は、第２コンタクトと電気的に接続される。発光素子は、第１導体と第２導体との間に所定の電力が供給された場合に発光する。カバーは、可視光を通す材質で形成され、発光素子を覆う。取り付け手段は、ケーブル識別具を対象となるケーブルに固定する。開口手段は、第１導体と第２導体との間に外部から電力を供給する。
【０００８】
本発明のケーブル識別方法は、本発明のケーブル識別具をあらかじめ複数個取り付けたケーブルの対応関係を確認する。本発明のケーブル識別方法は、電力供給ステップと確認ステップを有する。電力供給ステップは、いずれか１つのケーブル識別具の第１導体と第２導体との間に開口手段を用いて電力を供給する。このように電力を供給すれば、その他のすべてのケーブル識別具の第１導体と第２導体との間には、１つの導線と他の１つの導線を用いて所定の電力が供給される。確認ステップは、電力供給ステップによって発光しているケーブル識別具を探すことでケーブルの対応関係を確認する。
【発明の効果】
【０００９】
本発明のケーブル識別具によれば、複数のケーブル識別具を１つのケーブルに取り付けることができる。そして、ケーブル識別具を取り付けたいずれかの位置でケーブルを特定した場合に、そのケーブル識別具に所定の電力を供給すればすべてのケーブル識別具を発光させることができる。つまり、ケーブルを特定できていない場所（ケーブルを特定したい場所）では、作業者に選択すべきケーブルを示すことができる。したがって、ケーブルを特定できていない場所でケーブルの選択と接触針の接触を繰返し行う必要がない。
【図面の簡単な説明】
【００１０】
【図１】本発明のケーブル識別具をケーブルに取り付けた様子を示す図。
【図２】ブーツを備えたケーブル識別具の展開斜視図。
【図３】展開したケーブル識別具の構造を示す図。
【図４】展開したケーブル識別具の構造を示す斜視図。
【図５】ケーブル識別具をコネクタ付ケーブルに取り付けた様子を示す図。
【図６】発光部の構成を示す図。
【図７】複数のケーブル識別具をケーブルに取り付けたときの配線の様子を示す図。
【図８】ケーブル識別具に電力を供給するための電源装置の構成例を示す図。
【図９】ケーブル識別具に外部から電力を提供する様子を示す図。
【図１０】１つのケーブル識別具に電力を供給したときの様子を示す図。
【図１１】取り付け手段の変形例を示す図。
【図１２】発光部の向きを変更した例を示す図。
【発明を実施するための形態】
【００１１】
以下、本発明の実施の形態について、詳細に説明する。なお、同じ機能を有する構成部には同じ番号を付し、重複説明を省略する。
【実施例１】
【００１２】
＜ケーブル識別具＞
図１に本発明のケーブル識別具をケーブルに取り付けた様子を示す。図１（Ａ）はブーツを備えたケーブル識別具の斜視図であり、図１（Ｂ）はブーツがないケーブル識別具のカバーを取り除いた斜視図である。図２はブーツを備えたケーブル識別具の展開斜視図である。図２（Ａ）は斜め上からの展開斜視図、図２（Ｂ）は斜め下からの展開斜視図である。
【００１３】
図１，２の例では、ケーブル識別具１００’は、コネクタ９９０が取り付けられたケーブル９００の一端に取り付けられている。ケーブル識別具１００’は、ケーブル識別具１００とブーツ５００で構成されている。ケーブル識別具１００は、本体１１０とベース１８０を備える。ベース１８０は、本体１１０をケーブル９００に取り付ける取り付け手段として機能する。本体１１０は本体ボディ１２０とカバー１３０からなる。また、カバー１３０を取り除くと、その内部には発光部１４０が備えられている。また、ケーブル識別具１００は、発光部１４０に外部から電力を供給するための開口手段１７０も備えている。
【００１４】
従来技術の課題ではＬＡＮケーブルを例として説明したが、ケーブルもコネクタもＬＡＮ用に限定する必要はない。また、形状も丸型のケーブルに限定する必要もないし、ケーブル識別具と同等の大きさのコネクタに限定する必要もない。さらには、ケーブル識別具を取り付ける位置もコネクタが取り付けられるようなケーブルの端である必要もない。後述するが、２心以上の導線を含んだケーブルであれば、本発明のケーブル識別具を利用できる。
【００１５】
まず、ブーツがない状態でのケーブル識別具の構造について詳細に説明する。図３は展開したケーブル識別具の構造を示す図である。図３（Ａ）は平面図、図３（Ｂ）は側面図、図３（Ｃ）は正面図、図３（Ｄ）は背面図である。図４は展開したケーブル識別具の構造を示す斜視図である。図４（Ａ）は正面側の斜め上からの斜視図、図４（Ｂ）は正面側の斜め下からの斜視図、図４（Ｃ）は背面側の斜め上からの斜視図である。図５はケーブル識別具をコネクタ付ケーブルに取り付けた様子を示す図である。図５（Ａ）は側面図、図５（Ｂ）は図５（Ａ）のＡ−Ａ線で切断した断面図（ただし、ケーブルの内部構造は省略）、図５（ｃ）は図５（Ａ）のＢ−Ｂ線で切断した断面図（ただし、ケーブルの内部構造は省略）である。図６は発光部の構成を示す図である。図６（Ａ）はブリッジ回路を含まない構成例を示す図、図６（Ｂ）はブリッジ回路を含む構成例を示す図である。
【００１６】
ケーブル識別具１００は、本体１１０とベース１８０を備える。本体１１０は本体ボディ１２０とカバー１３０からなる。本体ボディ１２０は、第１コンタクト１５１、第２コンタクト１５２、発光部１４０を有する。第１コンタクト１５１と第２コンタクト１５２は、対象となるケーブル９００の２つの導線９０１、９０２に別々に接続される。本体ボディ１２０には、第１開口部１７１と第２開口部１７２も形成されている。カバー１３０は、可視光を通す材質で形成され、発光素子１４５を覆う。例えば、乳白色の半透明な材料を用いれば、発光素子１４５の光を作業者が認識しやすいように拡散できる。カバー１３０は、本体ボディ１２０に固定するためのカバー爪１３１を備えている。また、カバー１３０には、第３開口部１７３と第４開口部１７４が形成されている。なお図５に示したケーブル９００の心線９０３〜９０６は、コネクタ９９０を介して通信や電力供給などに使用される心線であり、導電性の心線であっても光ファイバなどであってもよい。
【００１７】
発光部１４０は、図６（Ａ）に示すように少なくとも第１導体１４１、第２導体１４２、発光素子１４５を有する。第１導体１４１は、第１コンタクト１５１と電気的に接続される。第２導体１４２は、第２コンタクト１５２と電気的に接続される。発光素子１４５は、第１導体１４１と第２導体１４２との間に所定の電力が供給された場合に発光する。例えば、発光素子１４５としてＬＥＤを用いればよい。一般的なＬＥＤの場合は、所定の電圧で所定の電流が供給された場合に発光する。また、発光部１４０は、第１導体１４１と第１コンタクト１５１とを確実に接触させる導通材料１４３と、第２導体１４２と第２コンタクト１５２とを確実に接触させる導通材料１４４も備えてもよい。導通材料１４３、１４４としては、例えば半田を用いればよい。
【００１８】
なお、発光部１４０は、図６（Ｂ）に示すようにブリッジ回路１４６を備えてもよい。ブリッジ回路１４６を備えれば、発光素子１４５に極性がある場合でも、ケーブル９００への取り付け時に極性を気にすることなく取り付けることができる。工場でケーブルにケーブル識別具を取り付けるのであれば、図６（Ａ）の構成でも極性を確認しながら取り付けることが比較的容易と考えられる。しかし、ケーブルを配線した後に、現場でケーブル識別具を取り付ける場合には極性を確認しながら取り付けにくい。このような場合はブリッジ回路１４６を備えていれば便利である。
【００１９】
第１開口部１７１、第２開口部１７２、第３開口部１７３、第４開口部１７４で、開口手段１７０が構成される。第１開口部１７１は、ケーブル９００の長手方向と平行な方向に開口している。第２開口部１７２は、第１開口部１７１と同じ方向に開口している。第３開口部１７３は、ケーブル９００の長手方向と垂直な方向に開口している。第４開口部１７４は、第３開口部と同じ方向に開口している。ここで、コネクタ９９０を差し込む場所を考えてみる。コネクタ９９０を差し込む対象（ＬＡＮの場合であればハブやルータ）が棚などに配列されているときや机の下にあるときには、差込口が水平方向の場合が多い。このような場合は、作業者の目線はケーブル９００の長手方向と平行な方向となる。したがって、第１開口部１７１と第２開口部１７２を確認しやすいし、外部からの電力も第１開口部１７１と第２開口部１７２からならば供給しやすい。一方、コネクタ９９０を差し込む対象が壁や机の側面などに設置され、差込口が下を向いている場合、作業者の目線はケーブル９００の長手方向と垂直な方向となる。したがって、第３開口部１７３、第４開口部１７４を確認しやすいし、外部からの電力も第３開口部１７３、第４開口部１７４からならば供給しやすい。このように、開口手段として、４つの開口部を備えることで色々な作業環境に対応できる。
【００２０】
第１コンタクト１５１は、導線９０１を把持する第１スリット部１５３と、第１開口部１７１に対応する位置に配置される第１コンタクトボディ１５５と、第１導体１４１と接触する第１接触部１５７とを有する。第２コンタクト１５２は、導線９０２を把持する第２スリット部１５４と、第２開口部１７２に対応する位置に配置される第２コンタクトボディ１５６と、第２導体１４２と接触する第２接触部１５８とを有する。第１導体１４１は第３開口部１７３に対応する位置に配置され、第２導体１４２は、第４開口部１７４に対応する位置に配置される。なお、第１コンタクト１５１、第２コンタクト１５２、第１導体１４１、第２導体１４２は本体ボディ１２０の内部に収納されている。しかし、第１コンタクトボディ１５５が、第１開口部１７１に対応する位置に配置されるので、第１開口部１７１からピンを挿入すれば第１コンタクトボディ１５５に接触できる。同様に、第２開口部１７２からピンを挿入すれば第２コンタクトボディ１５６に接触でき、第３開口部１７３からピンを挿入すれば第１導体１４１に接触でき、第４開口部１７４からピンを挿入すれば第２導体１４２に接触できる。したがって、開口手段を介して外部から電力を供給できる。また、第３開口部１７３と対向する部分は第１導体１４１の幅を太くしてもよい。第４開口部１７４と対向する部分は第２導体１４２の幅を太くしてもよい。このように第１導体１４１や第２導体１４２の幅を広くすれば、外部から電力を供給しやすい。
【００２１】
ベース１８０は、本体１１０をケーブル９００に取り付ける取り付け手段である。例えば、本体ボディ１２０は、カバー１３０が配置された面の反対側の面にケーブル９００と接触するケーブル接触面１２５を有する。また、ベース１８０は、ケーブル９００と接触するケーブル固定面１８５を有する。そして、ケーブル固定面１８５とケーブル接触面１２５との間にケーブル９００を挟むことで、ケーブル識別具１００をケーブル９００に固定する。さらに、ケーブル接触面１２５に凸部１２７を形成し、ケーブル固定面１８５に凸部１８７を形成すれば、ケーブル識別具１００をケーブル９００により確実に固定できる。なお、本体ボディ１２０とベース１８０とを簡単に固定するために、本体ボディ１２０には本体爪１２８を形成し、ベース１８０には本体爪１２８と結合するベース固定部１８８を形成すればよい。
【００２２】
図５の例では、第１コンタクト１５１は、ベース１８０の方向に、第１接触部１５７、第１コンタクトボディ１５５、第１スリット部１５３の順番となるように配置されている。また、第２コンタクト１５２は、ベース１８０の方向に、第２接触部１５８、第２コンタクトボディ１５６、第２スリット部１５４の順番となるように配置されている。また、ベース１８０には、第１スリット部１５３が挿入されるコンタクト用溝１８３と、第２スリット部１５４が挿入されるコンタクト用溝１８４を形成する。さらに、ベース１８０には、第１スリット部１５３が挿入されるときに通過する位置に導線９０１を保持する導線用溝１８１を形成し、第２スリット部１５４が挿入されるときに通過する位置に導線９０２を保持する導線用溝１８２を形成する。このような構造にすれば、ケーブル９００の２つの導線９０１、９０２は、ベース１８０と本体１１０（または、本体ボディ１２０）とでケーブル９００を挟むときに第１スリット部１５３と第２スリット部１５４に別々に把持される。
【００２３】
次に、図１と図２に戻り、ブーツ５００について説明する。ブーツ５００は、ブーツボディ５１０、第１ガイド５２１、第２ガイド５２２を備える。ブーツボディ５１０は、本体１１０の第１開口部１７１と第２開口部１７２が形成された面に隣接してケーブル９００に固定され、ケーブル９００が急激に曲げられないようにケーブル９００を保護する。第１ガイド５２１は、ケーブル９００の長手方向と平行な方向に形成された溝であって、当該溝の最も深い部分が第１開口部１７１と対向する。第２ガイド５２２は、ケーブル９００の長手方向と平行な方向に形成された溝であって、当該溝の最も深い部分が第２開口部１７２と対向する。ブーツ５００を取り付ける場合は、ケーブル識別具１００の本体１１０にはブーツ固定部１２９も形成し、ベース１８０にはブーツ固定部１８９も形成すればよい。ブーツ５００はこのような構造なので、第１開口部１７１と第２開口部１７２から外部電力を供給する場合に作業しやすい。
【００２４】
＜ケーブル識別方法＞
複数のケーブル識別具をケーブルに取り付けたときの配線の様子を図７に示す。ケーブル９００に複数のケーブル識別具１００−１，…，Ｎ（ただし、Ｎは２以上の整数）を取り付けると、図７に示したような配線となる。導線９０１には複数の第１コンタクト１５１−１，…，Ｎが接続され、導線９０２には複数の第２コンタクト１５２が接続される。なお、図６（Ｂ）に示したブリッジ回路を含むケーブル識別具の場合は、導線９０１に接続されたコンタクトを第１コンタクトと呼び、導線９０２に接続されたコンタクトを第２コンタクトと呼ぶことにする。
【００２５】
図８は、ケーブル識別具１００−ｎ（ただし、ｎは１以上Ｎ以下の整数）に電力を供給するための電源装置の構成例を示す図である。電源装置２００は、電源本体２１０、ピン２２１、２２２、コード２２３、２２４を備える。電源本体２１０は、直流電源２１１、抵抗２１２を備える。ピン２２１、２２２へは、コード２２３，２２４を介して電力が供給される。
【００２６】
図９は、ケーブル識別具に外部から電力を提供する様子を示す図である。第１開口部１７１と第２開口部１７２からピン２２１、２２２を挿入して電力を供給してもよいし、第３開口部１７３と第４開口部１７４からピン２２１、２２２を挿入して電力を供給してもよい。図９には、２組のピン２２１、２２２が示されているが、実際の電力供給は１組のピン２２１、２２２で行えばよい。つまり、作業者が作業しやすい方向からピン２２１、２２２を挿入すればよい（電力供給ステップ）。なお、作業者は、電力を供給できたことを、ケーブル識別具が発光することで確認できる。なお、図６（Ａ）に示した極性をもつケーブル識別具の場合には、ピン２２１、２２２を逆にすると発光部１４０は発光しない。したがって、作業者は逆向きであることを認識できる。また、図６（Ｂ）のブリッジ回路１４６を備える場合には、ピン２２１とピン２２２を逆にしても発光するので、ピンの極性を意識する必要はない。
【００２７】
図１０に１つのケーブル識別具に電力を供給したときの様子を示す。例えば、ケーブル識別具１００−１に外部から電力を供給する場合は、発光部１４０−１は、開口手段を介して供給された電力で発光する。そして、その他の発光部１４０−２，…，Ｎは、導線９０１、９０２を介して供給された電力で発光する。作業者は、発光しているケーブル識別具１００−２，…，Ｎを探し出すことでケーブルの対応関係を確認する（確認ステップ）。なお、確認ステップは、電力を供給した状態を維持しながら行う。なお、電源装置２００が電力を供給した状態を維持できるようにする電力供給維持手段も備えれば、１人の作業者でも電力を供給した状態を維持させながら、他の位置でケーブルの対応関係を確認できる。電力供給維持手段としては、ピン２２１とピン２２２を開口手段に挿入した状態を維持するようなクリップなどの固定具が考えられる。
【００２８】
このように、本発明のケーブル識別具とケーブル識別方法によれば、複数のケーブル識別具を１つのケーブルに取り付けることができる。そして、ケーブル識別具を取り付けたいずれかの位置でケーブルを特定した場合に、そのケーブル識別具に所定の電力を供給すればすべてのケーブル識別具を発光させることができる。つまり、ケーブルを特定できていない場所（ケーブルを特定したい場所）では、作業者に選択すべきケーブルを示すことができる。
【００２９】
［変形例１］
図１１に取り付け手段の変形例を示す。図３，４で示したベース１８０は本体ボディ１２０と分離していた。図１１のケーブル識別具１００は、連結部１８６も備えている。連結部１８６はベース１８０の一部と本体ボディ１２０の一部とを回転可能な状態で連結しており、ベース１８０に対して本体ボディ１２０を回転させることで、ケーブルを固定する状態とケーブルを開放した状態（ケーブルを挿入する状態）を変化させることができる。
【００３０】
［変形例２］
図１２に発光部の向きを変更した例を示す。図１２（Ａ）は、発光部１４０が配置されている面の法線方向が、ケーブル９００の長手方向と４５°の場合を示している。図１２（Ｂ）は、発光部１４０が配置されている面の法線方向が、ケーブル９００の長手方向と一致する場合を示している。図１（Ｂ）で示した発光部１４０が配置されている面の法線は、ケーブル９００の長手方向と垂直な方向であった。この方向は、コネクタ９９０を挿抜するときの作業者の目線がケーブル９００の長手方向と垂直な方向の場合に便利である。しかし、必ずしも垂直な方向が便利とは限らない。コネクタ９９０を挿抜する作業環境によって本体ボディ１２０の発光部１４０の角度を選択することも可能である。
【００３１】
例えば、発光素子１４５の発光量が多い方向を、発光部１４０が配置されている面の法線方向に一致させる。そして、発光部１４０が配置されている面の角度を作業環境に適応するように選択すればよい。このような構造にすると、第３開口部１７３と第４開口部１７４は、発光素子１４５の発光量が多い方向と同じ方向に開口することになる。
【産業上の利用可能性】
【００３２】
本発明は、ケーブルが輻輳している場所でのケーブルを確認する作業に利用することができる。
【符号の説明】
【００３３】
１００  ケーブル識別具                    １１０  本体
１２０  本体ボディ                        １２５  ケーブル接触面
１２７、１８７  凸部                      １２８  本体爪
１２９、１８９  ブーツ固定部              １３０  カバー
１３１  カバー爪                          １４０  発光部
１４１  第１導体                          １４２  第２導体
１４３、１４４  導通材料                  １４５  発光素子
１４６  ブリッジ回路                      １５１  第１コンタクト
１５２  第２コンタクト                    １５３  第１スリット部
１５４  第２スリット部                    １５５  第１コンタクトボディ
１５６  第２コンタクトボディ              １５７  第１接触部
１５８  第２接触部                        １７０  開口手段
１７１  第１開口部                        １７２  第２開口部
１７３  第３開口部                        １７４  第４開口部
１８０  ベース                            １８１、１８２  導線用溝
１８３、１８４  コンタクト用溝            １８５  ケーブル固定面
１８６  連結部                            １８８  ベース固定部
２００  電源装置                          ２１０  電源本体
２１１  直流電源                          ２１２  抵抗
２２１、２２２  ピン                      ２２３、２２４  コード
５００  ブーツ                            ５１０  ブーツボディ
５２１  第１ガイド                        ５２２  第２ガイド
９００  ケーブル                          ９０１、９０２  導線
９０３〜９０６  心線                      ９９０  コネクタ
【図１】
0005749977.tif 000002
【図２】
0005749977.tif 000003
【図３】
0005749977.tif 000004
【図４】
0005749977.tif 000005
【図５】
0005749977.tif 000006
【図６】
0005749977.tif 000007
【図７】
0005749977.tif 000008
【図８】
0005749977.tif 000009
【図９】
0005749977.tif 000010
【図１０】
0005749977.tif 000011
【図１１】
0005749977.tif 000012
【図１２】
0005749977.tif 000013